【事件の表示】
　特願２０１３−１１０３３５「汚染廃棄物の遮断シート機構付き固化体貯蔵容器」拒絶査定不服審判事件〔平成２６年１１月２０日出願公開、特開２０１４−２１９３７５〕について、次のとおり審決する。
【結　論】
　本件審判の請求は、成り立たない。
【理　由】
第１　手続の経緯
　本願は、平成２５年４月３０日の出願であって、平成２６年７月１５日付けで拒絶理由が通知され、同年９月１８日付けで意見書が提出されるとともに、同日に手続補正書が提出されたが、同年１２月２２日付けで拒絶査定がなされた。本件は、これに対して、平成２７年４月８日に拒絶査定に対する審判請求がなされ、同時に手続補正がなされたものである。
第２　特許法第３６条第４項第１号（実施可能要件）について
１　審査官が通知した拒絶理由
　審査官は、平成２６年７月１５日付けの拒絶理由通知書において、以下のとおり、拒絶理由を通知している。
「この出願は、次の理由によって拒絶をすべきものです。これについて意見がありましたら、この通知書の発送の日から６０日以内に意見書を提出してください。
　 　 　 　 　 　 　 　 　 　 　 理　由
＜理由　１＞
（略）
＜理由　２＞
　この出願は、発明の詳細な説明の記載が下記の点で、特許法第３６条第４項第１号に規定する要件を満たしていない。
　 　 　 　 　 　 　 　 　 　 　 　記
・理由　２
　発明の詳細な説明には、「また、密閉容器充填し、容器に絶縁コイルを巻くことで、イオン電子を陽イオン物質及び陰イオン物質を電極板及び磁極板を通すことで、電子イオン帯及び陽イオン物質及び陰イオン物質の干渉帯及び電子分子の共鳴帯を構成させて、重金属物質及び汚染物質、セシュウムを封印しながら」という記載があるが、「イオン電子を陽イオン物質及び陰イオン物質」、「電子イオン帯」、「陽イオン物質及び陰イオン物質の干渉帯」、「電子分子の共鳴帯」とは何なのか当業者において不明であることから、「重金属物質及び汚染物質、セシュウムを封印」する事象についての説明が不十分であり、実際にこのような事象が発生するのか否か不明である。
　発明の詳細な説明には、「密閉蓋した該容器の側面部の外側に、電極板又は磁極板をバンド又は弾力締付け金具を装着することで、固化体貯蔵容器と、外部容器及び内部容器内のコイル内の電極及び磁場電解層の干渉帯を形成し、イオン電子を電気エネルギーにして、電極板及び磁極板に伝えて、コイル内の汚染物質及び重金属、セシュウム、陽イオン電子を容器中心部に引き付けて、外部漏れを防ぐこと」と記載されているが、「磁場電解層」、「干渉帯」、「イオン電子」が何なのか当業者において不明であることにより、「コイル内の汚染物質及び重金属、セシュウム、陽イオン電子を容器中心部に引き付け」るような事象についての説明が不十分であり、実際にこのような事象が発生するのか不明である。
　また、発明の詳細な説明には、「容器からの液漏れによる加電流及び加磁場を感知し」という記載があるが、液漏れをした場合に、どのような機構により電流や磁場が発生するのか説明もなければ、「加電流」、「加磁場」とはどういう電流や磁場をいうのか不明であり、容器の液漏れが発生した場合に電流や磁場が発生する事象についての説明が不十分であり、実際にこのような事象が発生するのか不明である。
　よって、この出願の発明の詳細な説明は、当業者が請求項１−４に係る発明を実施することができる程度に明確かつ十分に記載されたものでない。」
　また、審査官は、平成２６年１２月２２日付けの拒絶査定において、以下のとおり、通知している。
「この出願については、平成２６年　７月１５日付け拒絶理由通知書に記載した理由２によって、拒絶をすべきものです。
　なお、意見書及び手続補正書の内容を検討しましたが、拒絶理由を覆すに足りる根拠が見いだせません。
備考
　出願人は意見書において、トカマク等の超高温のプラズマを閉じ込める磁気閉じ込め方式を提示し、重金属、汚染物質、セシュウム等を封印できる旨を主張している。
　しかしながら、トカマク等の磁気閉じ込め装置により、イオンを閉じ込めるためには数テスラ程度の強力な磁場が必要なため、コイルに大電流を流す必要がある。本発明における固化体貯蔵容器で発生する電流（電場）と磁場により、トカマク等の磁気閉じ込め装置で用いられているレベルの強力な磁場が発生できるとは到底認められない。
　また、トカマク等の磁気閉じ込め装置では、トロイダル磁場、ポロイダル磁場、シア層により、荷電粒子の閉じ込めを実現しているが、本願の固化体貯蔵容器におけるコイルの巻き方からして、トロイダル磁場、ポロイダル磁場、シア層が形成されるとは考えられない。
　さらに、トカマク等の磁気閉じ込め装置において荷電粒子を閉じ込めるためには、強力な磁場を必要とするほかに、容器内を高真空にする必要がある。しかしながら、本願の固化体貯蔵容器では、容器内部を高真空にしていないため、重金属、汚染物質、セシュウム等を封印できるとは認められない。
　したがって、意見書の主張を参酌しても、本願の固化体貯蔵容器により、重金属、汚染物質、セシュウム等を封印できるとは考えられないため、拒絶理由が解消したと判断する事はできない。」
２　本願発明
　本願の特許請求の範囲の請求項１〜４に係る発明（以下、それぞれ「本願発明１」〜「本願発明４」という。）は、平成２６年９月１８日に提出された手続補正により補正された特許請求の範囲の請求項１〜４に記載された事項により特定される、以下のとおりのものである。
　
「　【請求項１】
汚染物質を含む汚染水を填めた容器の中に、動物性油脂、植物油脂と、納豆、鉄粉、カーバイド、水を含む混練物を填めて、掻き混ぜながら泡及び気泡を取込んだ粒粉末状に固め、密閉蓋した容器を外側容器に填めて、該容器と該外側容器との隙間の上部から、石炭灰、スラッグ、陶磁器、鉄粉、セメント、水から選択される１以上を含む混練物を填めて固め、密閉蓋した該外側容器の側面部の外側にコイルを装着し、該コイル中央部に、電球体又は、過熱体と、金属性タンク、圧力調整弁、音声管を設けた絶縁体金具の両端にコイルを接続し装着するとともに、該コイルの両端に電極板と磁極板を装着し、アルミ箔を貼り合わせたシートで包み込んだ、　固化体貯蔵容器
　　【請求項２】
汚染物質を含む汚染水を填めた容器の中に、動物性油脂又は植物油脂と、納豆、鉄粉、カーバイド、水を含む混練物を填めて、掻き混ぜながら泡及び気泡を取込んだ粒粉末状に固め、密閉蓋した容器を外側容器に填めて、密閉蓋した該外側容器の側面部の外側にコイルを装着し、該コイル中央部に電球体又は、過熱体と、金属性タンク、圧力調整弁、音声管を接続した絶縁体金具を設けた装置を装着するとともに、該コイルの両端に電極板又は、磁極板を装着し、アルミ箔を貼り合わせたシートで包み込んだ、　　固化体貯蔵容器
　　【請求項３】
汚染物質を含む汚染水を填めた容器の中に、動物性油脂又は植物油脂と、納豆、鉄粉、カーバイド、水を含む混練物を填めて、掻き混ぜながら泡及び気泡を取込んだ粒粉末状に固め、密閉蓋した容器の外側にコイルを装着し、該コイル中央部に電球体又は、過熱体、金属性タンク、圧力調整弁及び音声管と絶縁体金具を設けた装置を装着するとともに、該コイルの両端に電極板又は、磁極板を装着した貯蔵容器を外側容器に填めて密閉蓋し、アルミ箔を貼り合わせたシートで包み込んだ、　　　固化体貯蔵容器
　　【請求項４】
上記、［請求項１］から［請求項２］及び［請求項３］のいずれか１項に記載の外側固化体貯蔵容器内で、縦向き、又は横向き径方向に延して、連結接続した複数の固化体貯蔵容器であって、隣接する固化体貯蔵容器の、上記電極板同士又は上記磁極板同士で連結接続した、　　　　固化体貯蔵容器。」
３　当審の判断
（１）検討内容
　本願発明１〜４について、本願の発明の詳細な説明（特に、段落【００１７】（下記「（２）」参照））には、容器にコイルを巻くことで、、汚染物質及び重金属、セシュウムの陽イオン電子がコイルと容器の内側に押し込められるという作用効果（以下「作用効果１」という。）、点灯発光音声管機構付きにすることにより、容器内の腐食による液漏れを確認するという作用効果（以下「作用効果２」という。）が得られる旨、記載されている。
　そこで、当業者が、本願の出願時に、本願の発明の詳細な説明の記載に基づいて、作用効果１及び２が得られるように、本願発明１〜４の実施をすることができるか否かについて検討する。
（２）本願の発明の詳細な説明
　本願の発明の詳細な説明及び図面は、下記のとおりである。
「【技術分野】
　【０００１】
この発明は、重金属を含む有害汚染物質、汚染焼却灰及び汚染除洗水廃棄物の廃棄物の処理及び保管に関する。
【背景技術】
　【０００２】
従来、重金属を含む有害汚染焼却灰及び除洗水廃棄物の処理及び保管方法としては、ドラム缶内にセメント材混練物にし固めて、地中に埋設され膨大な中間処理施設及び最終貯蔵施設が求められている。
【発明が解決しようとする課題】
　【０００３】
従来の処理方法では、最終的に地下貯蔵しなければならないが、大量廃棄物を保管する物理的土地の確保と施設の限界があり、また、容器及び一体固化物の劣化による溶出問題がある。その原因は、保管容器内外の腐食浸食による一体固化物の劣化等による溶出問題があり、また、固型化容器の容積は容器に応じて定まっているので、汚染廃棄物及び放射性廃棄物の充填量が多くなると、汚染廃棄物及び放射性廃棄物以外の再資源として利用する部材の固化材および混練に必要な混練物の水分量の割合が多くなり、固化後の劣化及び腐食溶出原因になり、また、容器腐食による液漏れを感知できない。
特開２００７−４７０３９　号公報
特開２００６−１３２７１８　号公報
特開平８−１５４５２４　号公報
特開２００４−１３７５９３　号公報
　【０００４】
この発明の目的は、最終的な廃棄物量の低減と廃棄物の保管容器の劣化による有害物質の溶出を防ぎ、また事前に液漏れ感知を知ることができる。また再資源として利用する部材であって、汚染廃棄物の処理及び保管方法を提供することにある。
【課題を解決するための手段】
　【０００５】
上記目的を達成するため、請求項１の発明は、汚染物質及び重金属物質を含む汚染された焼却灰及び除洗水の中に、再資源として利用する部材である石炭灰、ゼオライト、スラッグ、陶磁器、鉄粉、砂及びセメントを含む改良剤に、動物性油脂、又は植物性油脂に、ゼラチン、納豆、蒟蒻、寒天、澱粉、及びセメントに水を適宜に填めた混合物を、攪拌混練物にし固める第１の工程、電極板、磁極板バンド又は弾力締付け金具を装着した、第２工程。この電流及び磁性帯容器を、該、別容器内に填めて、固定させた容器上部から、改良剤にゼオライト及びセメント、水の攪拌混練物を、該、容器内に充填し固めて密閉蓋し固める第３工程。密閉した該外側容器の外側に、絶縁コイルの両端に電極板又は、磁極板に接続し巻き付けたコイル中央部に、電球体又は、過熱体を設けた絶縁体金具にコイルの両端を接続した片側に、エヤーを詰めた圧力調整弁出口管に音声管機能を設けた金属性タンクを取付け　点灯音声管機構付きにした、固化体貯蔵容器が点灯又は、発光音声管機構付き容器に固化体貯蔵容器を、アルミ箔を貼り付けたシートで包み込みをする第４工程。
　【０００６】
この請求項１の発明は、重金属物質及び汚染焼却灰及び汚染した除洗水の拡散を防ぎ固定させる。また、汚染除洗水廃棄物を４０度から６０度に加熱し、その中に再資源として利用する部材である石炭灰、ゼオライト、スラッグ、陶磁器、鉄粉、砂、及びセメントを含む改良剤に、動物性油脂又は植物性油脂の中に、ゼラチン、納豆、蒟蒻、寒天、澱粉、ケイ酸化カルシュウム、カーバイド、苛性ソーダ粉末、セメントを適宜に填めて、掻き混ぜて乾燥させながら粒粉末状にし、重金属物質及び汚染焼却灰の表面をコーティング固化する第１の工程。それにより、常温度水では溶けなくする。
　【０００７】
次に保管容器の腐食劣化防止と固化物の劣化を防ぐ目的で、地中又は、深海等の保管目的場所に応じて、貯蔵容器内側及び容器外側に、容器外側に電極板に接続した絶縁コイルを巻き付けたコイル中央部に、電球体を設けた絶縁体金具にコイルの両端を接続し、点灯機構付き容器に装着する第２工程で、電流、磁性帯、電球体を装着させた容器にする。また、容器外側に、絶縁銅線コイルを巻き付け塩化ビニール樹脂、パラフィン、スチロール樹脂、ユリア樹脂、メラミン樹脂で絶縁防水された外側に電極を取り出し、その一端が、銅板及び真鍮、銀板に他端が鉄板、アルミ、ニッケル板乃至亜鉛板に接続配置された第２工程の保管容器にする。
　【０００８】
該、別容器内に、第２工程の容器を填めて、容器下部に約１５ｃｍの隙間を空かし容器中央部に設置する。容器上部から、改良剤原料、石炭灰、ゼオライト、スラッグ、陶磁器、鉄粉、砂、及びセメントを含む改良剤に、水を充填し混練物にして固め、上蓋した密閉容器の側面部の外側に、絶縁コイルの両端に電極板を接続し巻き付けコイル中央部に、電球体に絶縁体金具を設けた機構付き装置に、コイルの両端を接続し装着すると共に、使用用途に応じて電極板、磁極板バンド又は弾力締付け金具を装着した、電極及び磁極を備えた固化体貯蔵容器と成る第３工程。
　【０００９】
また、第１工程から第３工程までの工程作業から、容器及び容器内に陰イオン弱電流及び磁場圧が発生し、陽イオン分子及びイオン電子である重金属及び汚染物質を引付け、大気及び外部に拡散しない。その結果、容器保管過程で、腐食を防止しながら、安全対策として容器腐食を想定し中で、電球体の点灯又は、発光音声管機構付き容器装置で液漏れによる加磁極及び加電流の異常を感知し、電球体で点灯及び発光音にさせることで外部に知らせる。また、電球体及び過熱体の点灯及び発光音声管の光源電球は、ＬＥＤ蛍光灯又はＬＥＤ電球、又は従来の蛍光灯、白熱電球、フラメント電球等を使用することできることで、耐久性の延伸及び加電流にも対応できる。また、容器の外側に固化体貯蔵容器にアルミ箔を貼り付けた塩ビ又は布シートで包み込み、放射線の遮断と溶出を防ぎ、また、重金属及び汚染物質を分解する微生物及びカビ、菌類が付着する第４工程。
【発明を実施するための形態】
　【００１０】
以下、この発明を図示の実施の形態により詳細に説明する。
　【００１１】
〔第１の実施の形態〕
この発明は、原子力発電所の事故に係る瓦礫処理から大量発生した汚染焼却灰と除洗水を軽減させるものである。又、重金属を含む汚染焼却灰と除洗水廃棄物処理方法の第１工程の実施形態の処理工程を示す。この第１工程の実施の形態は、原子力発電所事故と大津波にできた瓦礫を焼却した時の焼却灰及び放射能除洗水を処理する方法である。図１に、この第１の実施の形態は、重金属を含んだ汚染焼却灰と洗浄水及び汚染水の封じ込め策として、例１００Ｌ容器内に、汚染した洗浄水４割、焼却灰２割、改良剤２割、動物性油脂、又は植物性油脂に１割、ゼラチン、納豆、蒟蒻、寒天、澱粉に、カルシュウム、カーバイド、苛性ソーダ粉末、セメント、１割を適宜に配分し入れて攪拌する。冬場の常温水の場合反応がやや遅いが、加熱器で約４５〜約６５度に設定してやると作業工程が短縮する。第１工程。
　【００１２】
尚、上記第１，第２，第３の実施形態の第１工程において、自然乾燥又は、加熱乾燥させているときに、汚染水から発生する有害な放射性物質を含んだガスは、水面に混合物から発生する気泡及び泡内に閉じこめて、また、泡と気泡で水表面を蓋してガスが大気中に拡散しない。また、大気中に汚染ガスを拡散させることなく、水分を取り除いた有害な放射性物質を取込んだ粒状粉のみになる。
　【００１３】
次に、図２に、この第２の実施の形態は、例１００Ｌ容器外側に電極板又は磁極板に接続した絶縁コイルを巻き付けたコイル中央部に、電球体又は、過熱器に絶縁体金具を設けた装置にコイルの両端を接続した片側に、エヤーを詰めた圧力調整弁出口管に音声管機能を取付けた金属性タンクを取付けた点灯発光音声管機構付き、固化体貯蔵容器にアルミ箔を貼り付けた塩ビ又は布シートで包み込み、放射線を反射遮断する第２工程で、地中及び海中に保管施設使用条件目的が異なる場合は、図４のアルミ・銅・亜鉛の電極板と、磁性帯金属を締め目付バンド又は、弾力締付け金具を取付ける電流、磁性帯装着を内側と外側と交換することができる。
　【００１４】
次に、図３に、この第３の実施の形態は、該、例２００Ｌ別容器内に、第２工程、例１００Ｌ容器を填めて、該、別容器下部底から１０ｃｍ乃至１５ｃｍの隙間を設けて容器中央部に設置する。容器上部から、改良剤にゼオライト及びセメント、水の適宜量の混練物を、該、ドラム缶内に充填し固める第３工程。
　【００１５】
次に、図４に、この第４の実施の形態は、該、別容器の上蓋した密閉容器側面の外側に、磁性帯鉄板又は、アルミ板の電極板と、磁性帯金属を締め付けバンド又は、弾力締付け金具を装着することにより、電極及び磁極を備えた最終点灯機構付き固化体貯蔵容器と成る第４工程を備えることを特徴とする。
　【００１６】
次に、図５の実施の形態は、該、筒状の底上蓋付きの鋼管容器内に、複数の固化体貯蔵容器を、縦又は横方向の電極同士又は、磁極同士の連結接続保管ができる。また、その上から、アルミ箔を貼り合わせた塩ビ又は布及び紙のシートで包みことで、放射線を遮断する。
【発明の効果】
　【００１７】
　［発明の効果］
従来の処理方法では、大量廃棄物を保管する物理的土地の確保と施設の限界があり、また、容器及び一体固化物の劣化による溶出問題がある。その原因は、保管容器内外の腐食浸食による一体固化物の劣化等による溶出問題であり、また、固型化容器の容積は容器に応じて定まっているので、汚染廃棄物及び放射性廃棄物の充填量が多くなると、汚染廃棄物及び放射性廃棄物以外の固化材および混練に必要な混練物の水分量の割合が多くなり、固化後の劣化及び腐食溶出原因にであったが、本発明は汚染水を蒸発させる時に、水面に気泡及び泡を発生させて、放射線ガスを封じ込め固めながらガスを蓋することでガスの放出を防ぎ、大気汚染を防ぐ。また、コーティング乾燥粒粉状にすることで、直接常温水に触れても溶け難くするコーティングをし、溶質防止効果があり、また、密閉容器充填し、容器に絶縁コイルを巻くことで、コイル容器の内側と外側に磁力線構造となり、磁力線の大半はコイル容器の内側に存在し、コイル外側は弱い磁力線と回転する電流（電場）によって、磁場になることで、コイル内で電子及び分子の陽イオン物質及び陰イオン物質の磁界（磁場）及び電流（電場）を構成させて、重金属物質及び汚染物質、セシュウムの陽イオン及び陰イオン電子の移動で電流（電場）になり、コイルと容器の円周方向に磁場が流れて、陽イオン電子を内側に押し込められる。また、電極板又は磁極板に接続した絶縁コイルを巻き付けたコイル中央部に、電球体又は、過熱体を設けた絶縁体金具にコイルの両端を接続した片側に、エヤーを詰めた圧力調整弁の金属性タンクを取付けた、点灯発光音声管機構付きにすることにより、容器内の腐食による液漏れを確認する。また、電子エネルギー及び熱エネルギーによる電球帯点灯発光音声管機構付き容器になることで、自然界から分離し安全に保管する。更に該、別容器内に填めて、該容器と該、外側容器の隙間にコンクリート部材で固めることで、耐久性と安全性を強化し、密閉蓋した該容器の側面部の外側に、電極板又は磁極板をバンド又は弾力締付け金具を装着することで、固化体貯蔵容器は、外部容器及び内部容器内のコイル内に電子の変動で電流が発生し、巻き付けたコイルを中心とする磁界ができることで、電極及び電流（電場）と磁場を形成し、容器内のセシュウム陽イオン物質及び陰イオン物質の電子の移動で、電流（電場）を電極板及び磁極板に伝えて、コイル内の磁界（磁場）と電流（電場）で汚染物質及び重金属、セシュウムの陽イオン電子をコイルと容器を中心とする磁界（磁場）内に押し込められた、固化体貯蔵容器の外側にアルミ箔を貼り付けたシートで包み込んだことで、外部漏れを防ぐとともに、コイル中央部に、電球体および過熱体に絶縁体金具を設けた装置にコイルの両端を接続し装着しすることで、容器からの液漏れによる電流及び磁場を感知し、電極体はＬＥＤ蛍光灯又はＬＥＤ電球で、点灯発光及び熱エネルギーでエヤーを詰めた調整弁付きタンクを過熱させることで、一定圧力になると、エヤーを放出して、点灯発光音声管機構付き装置になり、外部に光とエヤー音で液漏れを知らせる。また、点灯機構付き固化体貯蔵容器を、筒状の鋼管パイプ内に納めて連結接続することにより、筒状及びトンネル状の保管施設が可能になり、鋼管及びコンクリート施設の外部に、有害物質及び汚染物質のセシュウムを分解する微生物及びカビ、菌類を引き付けて繁殖させることで、有害物質及び汚染物質漏れを防ぐバリアになりながら食物連鎖の中で、自然界との隔離を計りながら、適切な汚染物質処理及び固化物の劣化による廃液漏れ防止機能を効果的に発揮させて、地上及び地中に縦横坑及び深海で連結接続保管ができる。又、製造と保管、安全管理が容易にできる。」
「【図１】
【図２】
【図３】
【図４】
【図５】
　 　 　 　 　 　 　 　 　 　 　 　 　 　 　 　 　 　 　 　 　 」
　なお、出願当初（拒絶理由通知時）の明細書段落【００１７】（以下「当初段落【００１７】」という。）は、
「【００１７】
従来の処理方法では、大量廃棄物を保管する物理的土地の確保と施設の限界があり、また、容器及び一体固化物の劣化による溶出問題がある。その原因は、保管容器内外の腐食浸食による一体固化物の劣化等による溶出問題であり、また、固型化容器の容積は容器に応じて定まっているので、汚染廃棄物及び放射性廃棄物の充填量が多くなると、汚染廃棄物及び放射性廃棄物以外の固化材および混練に必要な混練物の水分量の割合が多くなり、固化後の劣化及び腐食溶出原因にであったが、本発明は汚染水を蒸発させる時に、水面に気泡及び泡を発生させて、放射線ガスを封じ込め固めながらガスを蓋することでガスの放出を防ぎ、大気汚染を防ぐ。また、コーティング乾燥粒粉状にすることで、直接常温水に触れても溶け難くするコーティングをし、溶質防止効果があり、また、密閉容器充填し、容器に絶縁コイルを巻くことで、イオン電子を陽イオン物質及び陰イオン物質を電極板及び磁極板を通すことで、電子イオン帯及び陽イオン物質及び陰イオン物質の干渉帯及び電子分子の共鳴帯を構成させて、重金属物質及び汚染物質、セシュウムを封印しながら、電極板又は磁極板に接続した絶縁コイルを巻き付けたコイル中央部に、電球体又は、過熱体を設けた絶縁体金具にコイルの両端を接続した片側に、エヤーを詰めた圧力調整弁の金属性タンクを取付けた点灯発光音声管機構付きにすることにより、容器内の腐食による液漏れを光と音で確認する。また、電子エネルギー及び熱エネルギーによる電球帯点灯発光音声管機構付き容器にアルミ箔を貼り合わせたシートで包み込むことで、放射線を封じ込めて、自然界から分離し安全に保管する。更に該、別容器内に填めて、該容器と該、外側容器の隙間にコンクリート部材で固めることで、耐久性と安全性を強化し、密閉蓋した該容器の側面部の外側に、電極板又は磁極板をバンド又は弾力締付け金具を装着することで、固化体貯蔵容器と、外部容器及び内部容器内のコイル内の電極及び磁場電解層の干渉帯を形成し、イオン電子を電気エネルギーにして、電極板及び磁極板に伝えて、コイル内の汚染物質及び重金属、セシュウム、陽イオン電子を容器中心部に引き付けて、外部漏れを防ぐことと、コイル中央部に、電球体および過熱体に絶縁体金具を設けた装置にコイルの両端を接続し装着しすることで、容器からの液漏れによる加電流及び加磁場を感知し、電極体はＬＥＤ蛍光灯又はＬＥＤ電球で、点灯発光及び熱エネルギーでエヤーを詰めた調整弁付きタンクを過熱させることで、一定圧力になると、エヤーを放出して、点灯発光音声管機構付き装置になり、外部に光とエヤー音で液漏れを知らせる。また、点灯機構付き固化体貯蔵容器を、アルミ箔を貼り合わせたシートで包み、また、施設内及び筒状の鋼管パイプ内に納めて連結接続することにより、筒状及びトンネル状の保管施設が可能になり、鋼管及びコンクリート施設の外部に、有害物質及び汚染物質セシュウムを分解する微生物及びカビ、菌類を引き付けて繁殖させることで、有害物質及び汚染物質漏れを防ぐバリアになりながら食物連鎖の中で、自然界との隔離を計りながら、適切な汚染物質処理及び固化物の劣化による廃液漏れ防止機能を効果的に発揮させて、地上及び地中に縦横坑及び深海で連結接続保管ができる。又、製造と保管、安全管理が容易で安価に施工できる。」であり、
　拒絶査定時の明細書段落【００１７】（平成２６年９月１８日に提出された手続補正書により補正された段落【００１７】：以下「査定時段落【００１７】」という。）は
「　【００１７】
　［発明の効果］
従来の処理方法では、大量廃棄物を保管する物理的土地の確保と施設の限界があり、また、容器及び一体固化物の劣化による溶出問題がある。その原因は、保管容器内外の腐食浸食による一体固化物の劣化等による溶出問題であり、また、固型化容器の容積は容器に応じて定まっているので、汚染廃棄物及び放射性廃棄物の充填量が多くなると、汚染廃棄物及び放射性廃棄物以外の固化材および混練に必要な混練物の水分量の割合が多くなり、固化後の劣化及び腐食溶出原因にであったが、本発明は汚染水を蒸発させる時に、水面に気泡及び泡を発生させて、放射線ガスを封じ込め固めながらガスを蓋することでガスの放出を防ぎ、大気汚染を防ぐ。また、コーティング乾燥粒粉状にすることで、直接常温水に触れても溶け難くするコーティングをし、溶質防止効果があり、また、密閉容器充填し、容器に絶縁コイルを巻くことで、陽イオン物質及び陰イオン物質の電子移動で電流と磁場を発生させて、重金属物質及び汚染物質セシュウムを含む、陽イオン物質と陰イオン物質は固化体貯蔵容器内に押し込めて、アルミ箔シートで包み込み閉じこめられる。
また、電極板又は磁極板に接続した絶縁コイルを巻き付けたコイル中央部に、電球体又は、過熱体を設けた絶縁体金具にコイルの両端を接続した片側に、エヤーを詰めた圧力調整弁の金属性タンクを取付けた点灯発光音声管機構付きにすることにより、容器内の腐食による液漏れを確認する。また、電子エネルギー及び熱エネルギーによる電球帯点灯発光音声管機構付き容器になることで、自然界から分離し安全に保管する。更に該、別容器内に填めて、該容器と該、外側容器の隙間にコンクリート部材で固めることで、耐久性と安全性を強化し、密閉蓋した該容器の側面部の外側に、電極板又は磁極板をバンド又は弾力締付け金具を装着することで、固化体貯蔵容器は、外部容器及び内部容器内のコイル内に電子の変動で電流が発生し、巻き付けたコイルを中心とする磁界ができることで、電極及び電流（電場）と磁場を形成し、容器内のセシュウム陽イオン物質及び陰イオン物質の電子の移動で、電流（電場）を電極板及び磁極板に伝えて、コイル内の磁界（磁場）と電流（電場）で汚染物質及び重金属、セシュウムの陽イオン電子をコイルと容器を中心とする磁界（磁場）内に押し込められた、固化体貯蔵容器の外側にアルミ箔を貼り付けたシートで包み込んだことで、外部漏れを防ぐとともに、コイル中央部に、電球体および過熱体に絶縁体金具を設けた装置にコイルの両端を接続し装着しすることで、容器からの液漏れによる電流及び磁場を感知し、電極体はＬＥＤ蛍光灯又はＬＥＤ電球で、点灯発光及び熱エネルギーでエヤーを詰めた調整弁付きタンクを過熱させることで、一定圧力になると、エヤーを放出して、点灯発光音声管機構付き装置になり、外部に光とエヤー音で液漏れを知らせる。また、点灯機構付き固化体貯蔵容器を、筒状の鋼管パイプ内に納めて連結接続することにより、筒状及びトンネル状の保管施設が可能になり、鋼管及びコンクリート施設の外部に、有害物質及び汚染物質のセシュウムを分解する微生物及びカビ、菌類を引き付けて繁殖させることで、有害物質及び汚染物質漏れを防ぐバリアになりながら食物連鎖の中で、自然界との隔離を計りながら、適切な汚染物質処理及び固化物の劣化による廃液漏れ防止機能を効果的に発揮させて、地上及び地中に縦横坑及び深海で連結接続保管ができる。又、製造と保管、安全管理が容易で安価に施工できる。」である。
（３）作用効果１について
　作用効果１について、本願の発明の詳細な説明の段落【００１７】（以下、単に段落【００１７】という。）に、
「密閉容器充填し、容器に絶縁コイルを巻くことで、コイル容器の内側と外側に磁力線構造となり、磁力線の大半はコイル容器の内側に存在し、コイル外側は弱い磁力線と回転する電流（電場）によって、磁場になることで、コイル内で電子及び分子の陽イオン物質及び陰イオン物質の磁界（磁場）及び電流（電場）を構成させて、重金属物質及び汚染物質、セシュウムの陽イオン及び陰イオン電子の移動で電流（電場）になり、コイルと容器の円周方向に磁場が流れて、陽イオン電子を内側に押し込められる。」、
「密閉蓋した該容器の側面部の外側に、電極板又は磁極板をバンド又は弾力締付け金具を装着することで、固化体貯蔵容器は、外部容器及び内部容器内のコイル内に電子の変動で電流が発生し、巻き付けたコイルを中心とする磁界ができることで、電極及び電流（電場）と磁場を形成し、容器内のセシュウム陽イオン物質及び陰イオン物質の電子の移動で、電流（電場）を電極板及び磁極板に伝えて、コイル内の磁界（磁場）と電流（電場）で汚染物質及び重金属、セシュウムの陽イオン電子をコイルと容器を中心とする磁界（磁場）内に押し込められた」
との記載がある。
　まず、上記記載から、コイルにより磁力線が発生する旨の事項が読み取れるが、本願の発明の詳細な説明には、コイルの両端に電極板又は磁極板を接続するという記載（段落【０００５】、【０００７】、【０００８】、【００１３】、図２、３参照）はあるが、電極板に電源を接続するとの記載はなく、コイルに電力は供給されないから、コイルに磁力線が発生しないことは明らかである。（なお、「外部容器及び内部容器内のコイル内に電子の変動で電流が発生し」との記載があるが、「電子の変動」とはどのような現象で、どのように発生するのかが不明である。）仮に、コイルへの電力供給がなされるとしても、上記記載の「磁場になることで、コイル内で電子及び分子の陽イオン物質及び陰イオン物質の磁界（磁場）及び電流（電場）を構成させて、重金属物質及び汚染物質、セシュウムの陽イオン及び陰イオン電子の移動で電流（電場）になり」という記載がどのような技術事項を意味するのかが不明であり、コイルにより発生した磁力線が重金属物質及びセシュウム等の汚染物質にどのような作用を及ぼすのかについて、当業者が理解できる程度に記載されているとは認められない。（そもそも、容器内の重金属物質やセシュウム等の汚染物質を含む
乾燥
　さらに、コイルと容器の円周方向に磁場が流れて、陽イオン電子を内側に押し込められる旨の記載について、コイルの電流を流したときに発生する磁力線は、コイルの軸方向に生じるものであって、円周方向に生じるものではないから、「コイルと容器の円周方向に磁場が流れて」は明らかに誤りである。
　すると、上記段落【００１７】の記載が、どのような技術事項を示すのかは全く不明であって、当業者といえども、本願発明１〜４を、作用効果１を奏し得るように実施することはできないと認められる。また、当初段落【００１７】、査定時段落【００１７】及び本願の発明の詳細な説明の他の記載を参酌しても、本願発明１〜４を、作用効果１を奏し得るように実施することはできないと認められる。
（４）作用効果２について
　作用効果２について、段落【００１７】に、
「電極板又は磁極板に接続した絶縁コイルを巻き付けたコイル中央部に、電球体又は、過熱体を設けた絶縁体金具にコイルの両端を接続した片側に、エヤーを詰めた圧力調整弁の金属性タンクを取付けた、点灯発光音声管機構付きにすることにより、容器内の腐食による液漏れを確認する。」、
「コイル中央部に、電球体および過熱体に絶縁体金具を設けた装置にコイルの両端を接続し装着しすることで、容器からの液漏れによる電流及び磁場を感知し、電極体はＬＥＤ蛍光灯又はＬＥＤ電球で、点灯発光及び熱エネルギーでエヤーを詰めた調整弁付きタンクを過熱させることで、一定圧力になると、エヤーを放出して、点灯発光音声管機構付き装置になり、外部に光とエヤー音で液漏れを知らせる。」
との記載がある。
　まず、この記載からは、容器からの液漏れによる電流及び磁場を感知して、コイルに電流が流れ、その結果、電球体が点灯したり、過熱体が発熱してタンク内の圧力が高まって調整弁からエヤーが吹き出して音声管から音が発生するものと理解するのが相当である。
　しかし、容器からの液漏れにより電流及び磁場が発生するとは考えられず、さらに、この電流及び磁場をコイルが感知するとはどのような技術事項を示すのが明らかでないから、上記のように、「点灯発光音声管機構」により液漏れを感知して知らせることがなされるとは認められない。（そもそも、容器内には、重金属物質やセシュウム等の汚染物質を含む
乾燥
　すると、上記段落【００１７】の記載が、どのような技術事項を示すのかは全く不明であって、当業者といえども、本願発明１〜４を、作用効果２を奏し得るように実施することはできないと認められる。また、当初段落【００１７】、査定時段落【００１７】及び本願の発明の詳細な説明の他の記載を参酌しても、本願発明１〜４を、作用効果２を奏し得るように実施することはできないと認められる。
（５）審判請求人の主張
　審判請求人は、平成２６年９月１８日付け意見書において、核融合炉における高温のプラズマを磁気により閉じ込める方式やアメリシウム２４１を使用したイオン式煙感知器の説明を行っており、これらを参照すれば、本願発明１〜４が作用効果１を奏し得ることが理解できることを主張していると思われる。
　しかし、本願発明１〜４は、核融合炉や、アメリシウム２４１を使用したイオン式煙感知器とは全く異なるものであって、これらを参照しても、本願発明１〜４が作用効果１を奏し得るとは認められない。
（６）結論
　以上のとおり、本願の発明の詳細な説明を参照しても、本願発明１〜４について、上記作用効果１、２を奏し得るようにその実施をすることができないのであるから、本願の発明の詳細な説明は、その発明の属する技術の分野における通常の知識を有する者がその実施をすることができる程度に明確かつ十分に記載したものであるとは認められない。
　したがって、本願は、その発明の詳細な説明の記載が特許法第３６条第４項第１号に規定する要件を満たしていない。
第３　むすび
　よって、本願は、その発明の詳細な説明の記載が特許法第３６条第４項第１号に規定する要件を満たしていないから、本願は拒絶されるべきものである。
　よって、結論のとおり審決する。